(57)【要約】【課題】対象物に内容物を供給するために傾けた際にも、舌状部の脇部から内容物が漏出することを抑制できるキャップを提供する。【解決手段】軸線Ｃ方向に延びる計量筒部４１と、計量筒部の軸線方向の先端に軸線を中心とする周方向の一部に設けられ、軸線方向に突出する舌状部６０とを有する。計量筒部は、計量筒部で計量される内容物の最大量が規定される。舌状部は、周方向の所定位置を中心に設けられた突端部６１と、突端部の周方向両側に設けられ、突端部と計量筒部の先端面とをつなぐつなぎ部６２とを有する。周方向の所定位置で突端部の内面における軸線Ｃ方向先端を通る接線を含み、計量筒部の内面との間で最大量となる容積を形成する仮想平面ＶＰを設定したときに、つなぎ部の端面６２Ａは、仮想平面に対して仮想平面の法線方向で計量筒部の開口部側に離間している。【選択図】図４
2020200095.tif 000002
【特許請求の範囲】
【請求項１】
軸線方向に延びる計量筒部と、
前記計量筒部の前記軸線方向の先端に前記軸線を中心とする周方向の一部に設けられ、前記軸線方向に突出する舌状部と、
を有し、
前記計量筒部は、当該計量筒部で計量される内容物の最大量が規定され、
前記舌状部は、前記周方向の所定位置を中心に設けられた突端部と、
前記突端部の周方向両側に設けられ、前記突端部と前記計量筒部の先端面とをつなぐつなぎ部とを有し、
前記周方向の所定位置で前記突端部の内面における前記軸線方向先端を通る接線を含み、前記計量筒部の内面との間で前記最大量となる容積を形成する仮想平面を設定したときに、前記つなぎ部の端面は、前記仮想平面に対して前記仮想平面の法線方向で前記計量筒部の開口部側に離間していることを特徴とするキャップ。
【請求項２】
前記計量筒部は、当該計量筒部で計量される内容物の最大量が規定される指標を少なくとも表示する表示部を有する、
請求項１記載のキャップ。
【請求項３】
前記軸線方向は鉛直方向であり、
前記計量筒部で計量される内容物の最大量は、前記計量筒部の前記舌状部を除いた最大容量で規定される、
請求項１記載のキャップ。
【請求項４】
前記つなぎ部の端面と前記仮想平面との距離は、２ｍｍ以下である、
請求項１から３のいずれか一項に記載のキャップ。
【請求項５】
前記計量筒部は、内部における前記周方向の前記所定位置に、前記軸線方向に延び前記軸線と直交する断面がＶ字状に形成された溝部と、
前記周方向で前記溝部とは異なる位置に形成され、前記軸線と直交する断面が前記軸線を中心とする円弧状の円筒状部とを有し、
前記軸線と直交する断面において、前記溝部は、前記円筒状部に外接する外接円内に配置されている、
請求項１から４のいずれか一項に記載のキャップ。
【請求項６】
請求項１から５のいずれか一項に記載のキャップと、
前記キャップが同軸で直接的又は間接的に着脱可能に装着され、内容物を収納する容器本体と、を備えることを特徴とする容器。
【発明の詳細な説明】
【技術分野】
【０００１】
本発明は、キャップおよび容器に関するものである。
【背景技術】
【０００２】
一般に、液体洗剤、液体漂白剤、液体柔軟剤、溶剤等の液状の内容物を収容する容器では、ノズルを有しボトル（容器本体）の口部に装着されるノズルキャップと、ノズルから注出される内容物を計量する計量筒部を有し、容器に着脱自在に装着される計量キャップとを有するものがある（例えば、特許文献１）。
【０００３】
上記の容器においては、計量キャップを容器から外して容器本体を傾け（傾注し）、ノズルの注ぎ口から内容物を計量筒部に注入して計量し、対象物に内容液を直接塗布、滴下するために計量筒部の先端を舌状に突出させる構成が開示されている。
【先行技術文献】
【特許文献】
【０００４】
【特許文献１】特許第３９４６９２２号公報
【発明の概要】
【発明が解決しようとする課題】
【０００５】
しかしながら、上述したようなキャップでは、舌状部の形状や大きさによっては、対象物に内容液を塗布、滴下するために傾けた際に、内容物が舌状部の先端に到達する前に、舌状部の脇部から流出して、対象物以外の場所に液だれが生じる可能性がある。この問題は、内容物が液体でなく粒体や粉体においても生じる可能性がある。
【０００６】
本発明は、以上のような点を考慮してなされたもので、対象物に内容物を供給するために傾けた際にも、舌状部の脇部から内容物が漏出することを抑制できるキャップおよび容器を提供することを目的とする。
【課題を解決するための手段】
【０００７】
本発明の第１の態様に従えば、軸線方向に延びる計量筒部と、前記計量筒部の前記軸線方向の先端に前記軸線を中心とする周方向の一部に設けられ、前記軸線方向に突出する舌状部と、を有し、前記計量筒部は、当該計量筒部で計量される内容物の最大量が規定され、前記舌状部は、前記周方向の所定位置を中心に設けられた突端部と、前記突端部の周方向両側に設けられ、前記突端部と前記計量筒部の先端面とをつなぐつなぎ部とを有し、前記周方向の所定位置で前記突端部の内面における前記軸線方向先端を通る接線を含み、前記計量筒部の内面との間で前記最大量となる容積を形成する仮想平面を設定したときに、前記つなぎ部の端面は、前記仮想平面に対して前記仮想平面の法線方向で前記計量筒部の開口部側に離間しているキャップが提供される。
【０００８】
また、上記本発明の一態様に係るキャップにおいて、前記計量筒部は、当該計量筒部で計量される内容物の最大量が規定される指標を少なくとも表示する表示部を有することを特徴とする。
【０００９】
また、上記本発明の一態様に係るキャップにおいて、前記軸線方向は鉛直方向であり、前記計量筒部で計量される内容物の最大量は、前記計量筒部の前記舌状部を除いた最大容量で規定されることを特徴とする。
【００１０】
また、上記本発明の一態様に係るキャップにおいて、前記つなぎ部の端面と前記仮想平面との距離は、２ｍｍ以下であることを特徴とする。
【００１１】
また、上記本発明の一態様に係るキャップにおいて、前記計量筒部は、内部における前記周方向の前記所定位置に、前記軸線方向に延び前記軸線と直交する断面がＶ字状に形成された溝部と、前記周方向で前記溝部とは異なる位置に形成され、前記軸線と直交する断面が前記軸線を中心とする円弧状の円筒状部とを有し、前記軸線と直交する断面において、前記溝部は、前記円筒状部に外接する外接円内に配置されていることを特徴とする。
【００１２】
本発明の第２の態様に従えば、第１の態様のキャップと、前記キャップが同軸で直接的又は間接的に着脱可能に装着され、内容物を収納する容器本体と、を備えることを特徴とする容器が提供される。
【発明の効果】
【００１３】
本発明では、対象物に内容物を供給するために傾けた際にも、舌状部の脇部からの内容物の漏出を抑制することが可能になる。
【図面の簡単な説明】
【００１４】
【図１】第１実施形態に係る計量キャップ付き容器１の正立状態の頂部の縦断面図である。
【図２】蓋部４４が下側に配置された計量キャップ４の外観斜視図である。
【図３】蓋部４４を下側に配置した状態で計量キャップ４を上側から見た平面図である。
【図４】位置Ａおよび中心軸Ｃを含む平面での計量キャップ４の断面図である。
【図５】第２実施形態に係る計量キャップ４の外観斜視図である。
【図６】第３実施形態に係る計量キャップ４の外観斜視図である。
【図７】蓋部４４を下側に配置した状態で第３実施形態に係る計量キャップ４を上側から見た平面図である。
【図８】比較例１の計量キャップの断面図である。
【発明を実施するための形態】
【００１５】
以下、本発明のキャップおよび容器の実施の形態を、図１乃至図８を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１６】
［第１実施形態］
図１は、第１実施形態に係る計量キャップ付き容器（容器）１の正立状態の頂部の縦断面図である。計量キャップ付き容器１は、内容物を収納する容器本体２と、容器本体２における頂部に位置する口部３の外側（外周側）に同軸で直接的に着脱可能に装着される計量キャップ（キャップ）４と、口部３に装着される中栓６とを備えている。
【００１７】
容器本体２は、例えば、ポリエチレン等のオレフィン系合成樹脂を用いたブロー成形により一体形成されている。容器本体２は、内容物として、例えば、液体洗剤、液体漂白剤、液体柔軟剤、溶剤等の液状物や、粒状洗剤、粒状漂白剤、粒状調味料等の粉粒物を収容するための収容空間２ａを有している。容器本体２の口部３は、上下方向に延びる中心軸（軸線）Ｃを中心とする円筒状に形成されている。口部３は、収容空間２ａを上方に向けて開放している。口部３の外周には、中心軸Ｃ周りに雄ねじ部３ａが形成されている。
【００１８】
以下の説明では、中心軸Ｃに沿った方向を中心軸方向、中心軸Ｃに直交する方向を径方向、中心軸Ｃを中心とする軸周り方向を周方向と適宜称する。また、中心軸方向における口部３の開放側を上方、口部３のボトル内方側を下方と適宜称して説明する。
【００１９】
中栓６は、例えば、ポリプロピレン等のオレフィン系合成樹脂を用いた射出成形により形成されている。中栓６は、中心軸Ｃに沿って延び口部３の内周面３ｂと嵌合する筒状部３１、筒状部３１の上方側の端部から径方向外側に張り出し口部３の上端に上方から係合する環状のフランジ部３２、筒状部３１の底部に設けられた底壁部３３、及び底壁部３３から上方に突出するノズル３４を備えている。
【００２０】
ノズル３４は、底壁部３３から上方に延びている。ノズル３４は、Ｕ字状の断面形状を有する樋状に形成されている。断面Ｕ字状をなすノズル３４の内部は、底壁部３３に形成された連通部３６によって、容器本体２の収容空間２ａと連通している。
【００２１】
計量キャップ４は、例えば、ポリプロピレン等のオレフィン系合成樹脂を用いた射出成形により形成されている。計量キャップ４は、計量筒部４１、フランジ部４３、螺着部４２および舌状部６０を有している。
【００２２】
計量筒部４１は、筒状部３１の内部に入り込みノズル３４の周囲を取り囲む位置に配置され上端に蓋部４４を有する有蓋円筒状に形成されている。フランジ部４３は、計量筒部４１の中心軸Ｃ方向の中途から径方向外側に突出する。螺着部４２は、フランジ部４３の径方向外側の端縁から下方に延びる円筒状に形成されている。計量筒部４１の蓋部４４は、中心軸Ｃと直交しており、計量筒部４１の開口部を上方に向けた状態で安定して載置することが可能である。計量筒部４１及び螺着部４２は、中心軸Ｃを中心とする同軸に配置されている。
【００２３】
螺着部４２は、計量筒部４１の径方向外側に間隔をあけて配置されている。螺着部４２の内周面には、口部３の雄ねじ部３ａと螺合する雌ねじ部４２ａが形成されている。計量キャップ４は、螺着部４２の雌ねじ部４２ａが口部３の雄ねじ部３ａと螺合して容器本体２に装着されたときに、フランジ部４３の下方側が中栓６のフランジ部３２を介して口部３の上端部を押圧することで、口部３の開口部を閉塞する。
【００２４】
図２は、蓋部４４が下側に配置された計量キャップ４の外観斜視図である。
計量キャップ４は、透明または半透明に構成されており、計量キャップ４の蓋部４４を下側に配置した状態で計量筒部４１内に注入した洗剤等の内容物と、計量筒部４１の外周面（周面）４１ａに配置され内容物の計量に関する情報を表示する計量表示部（表示部）５０との相対位置を外方から視認可能である。
【００２５】
計量表示部５０は、内容物の計量筒部４１への注入量が、例えば標準量（あるいは最小量）の１０ｃｃであることを示す計量表示部５０Ａと、内容物の計量筒部４１への注入量が最大量である２０ｃｃであることを示す計量表示部５０Ｂとを有している。計量表示部５０Ａは、内容物の注入量が標準量（あるいは最小量）であるときの液位を示す線部５１を指標として有する。計量表示部５０Ｂは、内容物の注入量が最大量であるときの液位を示す線部５４を指標として有する。
【００２６】
上記の計量表示部５０Ａ、５０Ｂは、例えば、インクジェット方式による印字、計量キャップ４を射出成形する際に用いられる金型に形成した文字、記号、線部等の転写等により形成することができる。
【００２７】
舌状部６０は、計量キャップ４の蓋部４４を下側に配置した状態における計量筒部４１の上側（開口部側）の端面（先端面）５６に中心軸Ｃ方向に突出して設けられている。舌状部６０は、計量筒部４１の上側の端面５６における周方向の一部に設けられている。舌状部６０は、突端部６１およびつなぎ部６２とを有している。
【００２８】
図３は、計量キャップ４の蓋部４４を下側に配置した状態で計量キャップ４を上側から見た平面図である。
図３に示すように、突端部６１は、周方向において位置（所定位置）Ａを中心に設けられている。突端部６１は、中心軸Ｃ方向に突出する高さが一定に形成されている。つなぎ部６２は、突端部６１の周方向端部と端面５６とをつなぐ。つなぎ部６２は、突端部６１を挟んだ周方向の両側に設けられている。突端部６１およびつなぎ部６２の内側の面（中心軸Ｃに臨む面）は、計量筒部４１の内周面４１ｂと面一である。
【００２９】
図４は、位置Ａおよび中心軸Ｃを含む平面での計量キャップ４の断面図である。
図４に示すように、つなぎ部６２の上方に臨む端面６２Ａは、仮想平面ＶＰに対して仮想平面ＶＰの法線方向で計量筒部４１の開口部側に離間している。仮想平面ＶＰと端面６２Ａとの距離Ｗとしては、０ｍｍを超え（例えば、０．３ｍｍ）、２．０ｍｍ以下である。仮想平面ＶＰと端面６２Ａとが平行ではなく、距離が一定ではない場合には、仮想平面ＶＰと端面６２Ａとの最小距離が０ｍｍを超え（例えば、０．３ｍｍ）、仮想平面ＶＰと端面６２Ａとの最大距離が２．０ｍｍ以下である。
【００３０】
仮想平面ＶＰは、図３および図４に示すように、周方向の位置Ａで突端部６１の内面における中心軸Ｃ方向先端を通る接線Ｌを含み、計量筒部４１の内面との間で上述した内容物の最大量（ここでは２０ｃｃ）となる容積の空間Ｂを形成する平面で設定される。
【００３１】
上記構成の計量キャップ４および計量キャップ付き容器１においては、まず口部３の雄ねじ部３ａと螺着部４２の雌ねじ部４２ａの螺合を解除する方向に計量キャップ４を周方向に回転させ、計量キャップ４を容器本体２から離脱させる。
【００３２】
次に、計量筒部４１の開口部を上方に向けた状態で、容器本体２を傾けて容器本体２に収容された内容物を中栓６のノズル３４を介して計量筒部４１の内部に注入して計量する。ここでは、規定された最大量の内容物が計量筒部４１に注入されたものとして説明する。
【００３３】
規定される最大量の内容物が計量筒部４１に注入された計量キャップ４を、位置Ａが下側となる状態で傾ける。計量キャップ４を傾けて、内容物の表面が周方向の位置Ａで突端部６１の内面における中心軸Ｃ方向先端に達したときに、内容物の表面は図４に示した仮想平面ＶＰと面一、且つ、水平となる。従って、内容物は、空間Ｂに収容されることになる。
【００３４】
つなぎ部６２の端面６２Ａは、計量キャップ４を傾けて、内容物の表面が周方向の位置Ａで突端部６１の内面における中心軸Ｃ方向先端に達したときの内容物の表面と面一の仮想平面ＶＰに対して、仮想平面ＶＰの法線方向（すなわち鉛直方向）で上方に離間しているため、内容物が突端部６１の内面における中心軸Ｃ方向先端に到達する前に端面６２Ａから漏出することを抑制できる。
【００３５】
なお、計量筒部４１に注入された内容物が、規定された最大量よりも少ない場合、内容物の液面ＶＰ２は、図４に示すように、端面６２Ａからの距離が仮想平面ＶＰよりも大きくなり、内容物が突端部６１の内面における中心軸Ｃ方向先端に到達する前に端面６２Ａから漏出することを一層抑制できる。
【００３６】
以上のように、本実施形態の計量キャップ４では、規定された最大量の内容物を対象物に供給する場合でも、内容物が突端部６１の内面における中心軸Ｃ方向先端に到達する前に端面６２Ａから漏出することを抑制することができる。
【００３７】
また、本実施形態の計量キャップ４では、仮想平面ＶＰと端面６２Ａとの距離Ｗを２ｍｍ以下とすることにより、突端部６１およびつなぎ部６２を含めた舌状部６０の周方向の長さと、突端部６１の周方向の長さとの差が大きくなることを抑制できる。そのため、舌状部６０を介した内容物の供給幅を、視認性に優れた突端部６１の幅に近づけることができ、対象物における所望の箇所にピンポイントで内容物を供給することができる。特に、内容物が液状体である場合には、液状体の表面張力によって内容物の供給幅をさらに突端部６１の幅に近づけることができ、内容物を供給する位置の精度をさらに高めることができる。
【００３８】
［第２実施形態］
続いて、計量キャップ４の第２実施形態について、図５を参照して説明する。
これらの図において、図１乃至図４に示す第１実施形態の計量キャップ４の構成要素と同一の要素については同一符号を付し、その説明を省略する。
【００３９】
上記第１実施形態では、計量キャップ４における内容物の最大量は計量表示部５０Ｂの表示で規定されていたが、第２実施形態では計量筒部４１の舌状部６０を除いた最大容量（容積、摺り切り）で規定される場合について説明する。
【００４０】
図５は、第２実施形態に係る計量キャップ４の外観斜視図である。
図５に示す計量キャップ４は、内容物の最大量が計量筒部４１の舌状部６０を除いた最大容量で規定される。内容物の最大量が計量筒部４１の舌状部６０を除いた最大容量で規定されることを示すために、計量表示部５０Ｂとして、計量筒部４１における中心軸Ｃ方向の上端を指し示す矢印が表示されている。尚、計量筒部４１で計量される内容物の最大量が、計量筒部４１の舌状部６０を除いた最大容量で規定される場合、すなわち、計量筒部４１における中心軸Ｃ方向の上端により規定される場合には、計量表示部５０Ｂの表示は省略してもよい。
【００４１】
本実施形態におけるつなぎ部６２の端面６２Ａは、計量筒部４１の舌状部６０を除いた最大容量で規定される最大量となる容積の空間を、計量筒部４１の内面との間で形成する上述の接線Ｌを含む仮想平面ＶＰに対して、仮想平面ＶＰの法線方向で計量筒部４１の開口部側に離間して設けられている。本実施形態においても、仮想平面ＶＰと端面６２Ａとの距離としては、最小距離が０ｍｍを超え、仮想平面ＶＰと端面６２Ａとの最大距離が２．０ｍｍ以下である。
【００４２】
上記構成の計量キャップ４および計量キャップ付き容器１においては、計量筒部４１の開口部を上方に向けた状態で、容器本体２を傾けて容器本体２に収容された内容物を中栓６のノズル３４を介して計量筒部４１の内部に注入して計量する。このとき、内容物は、例えば、表面が計量筒部４１の上方側の端面５６と面一とすることにより、内容物は、計量キャップ４に規定される最大量として計量される。
【００４３】
規定される最大量の内容物が計量筒部４１に注入された計量キャップ４を、位置Ａが下側となる状態で傾ける。計量キャップ４を傾けて、内容物の表面が周方向の位置Ａで突端部６１の内面における中心軸Ｃ方向先端に達したときに、内容物の表面は仮想平面ＶＰと面一、且つ、水平となる。
【００４４】
つなぎ部６２の端面６２Ａは、計量キャップ４を傾けて、内容物の表面が周方向の位置Ａで突端部６１の内面における中心軸Ｃ方向先端に達したときの内容物の表面と面一の仮想平面ＶＰに対して、仮想平面ＶＰの法線方向（すなわち鉛直方向）で上方に離間しているため、上記第１実施形態と同様に、内容物が突端部６１の内面における中心軸Ｃ方向先端に到達する前に端面６２Ａから漏出することを抑制できる。このように、本実施形態においても、上記第１実施形態と同様の作用・効果を得ることができる。
【００４５】
［第３実施形態］
続いて、計量キャップ４の第３実施形態について、図６及び図７を参照して説明する。
これらの図において、図１乃至図４に示す第１実施形態の計量キャップ４の構成要素と同一の要素については同一符号を付し、その説明を省略する。また、図６及び図７においては、計量表示部５０の図示を省略している。
【００４６】
図６は、第３実施形態に係る計量キャップ４の外観斜視図である。図７は、計量キャップ４の蓋部４４を下側に配置した状態で第３実施形態に係る計量キャップ４を上側から見た平面図である。
図６および図７に示すように、計量キャップ４の計量筒部４１は、周方向の位置Ａに中心軸Ｃ方向と直交する断面がＶ字状に形成された交差壁部７１と、周方向で交差壁部７１とは異なる位置に形成され断面が中心軸Ｃを中心とする円弧状に形成された円筒状部７２とを有している。交差壁部７１および円筒状部７２は、中心軸Ｃ方向に延びて形成されている。
【００４７】
交差壁部７１は、周方向の位置Ａにおいて交差している。交差壁部７１は、周方向の位置Ａにおいて、中心軸Ｃに臨む内側に溝部７０を有している。溝部７０は、図７に示すように、円筒状部７２に外接する外接円内に配置されている。従って、溝部７０が中栓６と干渉することを防止できる。
【００４８】
本実施形態の突端部６１は、周方向の位置Ａにおいて、溝部７０が中心軸Ｃ方向で最も上側に突出した頂点である。本実施形態のつなぎ部６２は、突端部６１と計量筒部４１の端面５６とをつなぐ。つなぎ部６２が端面５６と交差する周方向の位置は、交差壁部７１と円筒状部７２とが交差する周方向の位置である。交差壁部７１の内面と、突端部６１およびつなぎ部６２（舌状部６０）の内面とは面一である。
【００４９】
つなぎ部６２の上方に臨む端面６２Ａは、仮想平面ＶＰに対して仮想平面ＶＰの法線方向で計量筒部４１の開口部側に離間している。本実施形態の仮想平面ＶＰは、例えば、計量表示部で規定される内容物の最大量、あるいは計量筒部４１の舌状部６０を除いた最大容量で規定される内容物の最大量となる容積の空間を、計量筒部４１の内面との間で形成する上述の接線Ｌを含む平面である。
【００５０】
本実施形態の計量キャップ４においては、上記第１実施形態および第２実施形態と同様の作用・効果が得られることに加えて、規定される最大量の内容物が計量筒部４１に注入された計量キャップ４を、位置Ａが下側となる状態で傾けた際に、内容物の表面が周方向の位置Ａで突端部６１の内面における中心軸Ｃ方向先端に達したときの幅を小さくできる。そのため、本実施形態の計量キャップ４においては、よりピンポイントで対象物に内容物を供給（塗布、滴下）することが可能になる。
【００５１】
［実施例］
以下、実施例を示して本発明を詳細に説明するが、本発明は以下の実施例に限定されるものではなく、その要旨を逸脱しない範囲で適宜変更して実施することができる。
【００５２】
（実施例１〜３、比較例１〜２）
第１実施形態で説明した計量キャップにおいて、仮想平面からつなぎ部の端面までの距離が［表１］に示す仕様となる実施例１〜３、比較例１〜２のサンプルを作製した。仮想平面からつなぎ部の端面までの距離については、仮想平面に対して開口側に位置する場合を正の値、仮想平面に対して蓋部４４側に位置する場合を負の値とした。実施例１〜３、比較例２については、仮想平面とつなぎ部の端面との距離を一定とした。比較例１については、図８に示すように、つなぎ部の端面の下端部が仮想平面よりも蓋部４４側に位置するサンプルである。比較例１のように、仮想平面とつなぎ部の端面とが平行ではなく距離が一定ではない場合は、仮想平面からつなぎ部の端面までの最大距離を距離として記載した。
【００５３】
［評価項目］
規定される最大量の内容物を計量筒部に計量した計量キャップを傾けた際の「つなぎ部端面での液だれ有無」、「塗布特性」について評価した。「つなぎ部端面での液だれ有無」の評価については、液だれが「無」のときを「○」とし、液だれが「有」のときを「×」とした。「塗布特性」の評価については、良好な吐出幅で塗布できる場合を「○」とし、吐出幅が広く塗布しにくい場合を「△」とし、液だれが生じて塗布しにくい場合を「×」とした。
【００５４】
【表１】
2020200095.tif 000003
【００５５】
［表１］に示されるように、仮想平面からつなぎ部の端面までの開口側への距離が０ｍｍを超え、２．０ｍｍ以下である実施例１〜３の計量キャップのサンプルでは、つなぎ部からの液だれが生じなかった。また、仮想平面からつなぎ部の端面までの開口側への距離が０ｍｍを超え、２．０ｍｍ以下である実施例１〜３の計量キャップのサンプルでは、良好な吐出幅で塗布することができた。
【００５６】
一方、つなぎ部の端面の下端部が仮想平面よりも蓋部４４側に位置する比較例１の計量キャップのサンプルでは、つなぎ部からの液だれが生じ、この液だれにより内容物の塗布がしにくい結果であった。
液だれの評価が良好な結果になるためには、つなぎ部の端面がその全域にわたって仮想平面に対して開口側（プラス側）に存在することが必要になる。これは、つなぎ部端面の下端部（端面５６との交差部）に限らず、突端部６１から端面５６に至るまでの、つなぎ部６２の上方に臨む端面６２Ａの全てが仮想平面に対してプラス側に存在することが必要であることを意味する。そのため、比較例１のように、一部分でも仮想平面に対して蓋部４４側（マイナス側）に存在する部分があると、その部分から液だれを生じてしまうことから良好な液だれ評価が得られなかった。また、仮想平面からつなぎ部の端面までの開口側への距離が２．０ｍｍを超えた比較例２の計量キャップのサンプルでは、吐出幅が広く塗布しにくい結果であった。
【００５７】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５８】
例えば、上記実施形態では、計量筒部４１が円筒状である構成を例示したが、この構成に限定されず、例えば、角筒状であってもよい。
【００５９】
また、上記実施形態では、容器本体２の口部３に中栓６が装着される構成を例示したが、容器本体２に中栓６が装着されない計量キャップ付き容器１であってもよい。また、口部３に装着された中栓６に雄ねじ部が設けられ、計量キャップ４の雌ねじ部が中栓６の雄ねじ部に螺合することにより、計量キャップ４が容器本体２に間接的に装着される構成であっても本発明を適用可能である。
【符号の説明】
【００６０】
１…計量キャップ付き容器、  ２…容器本体、  ４…計量キャップ（キャップ）、  ４１…計量筒部、  ５０…計量表示部（表示部）、  ５４…線部（指標）、  ５６…端面（先端面）、  ６０…舌状部、  ６１…突端部、  ６２…つなぎ部、  ７０…溝部、  ７２…円筒状部、  Ａ…位置（所定位置）、  Ｃ…中心軸（軸線）、  Ｌ…接線
【図１】
2020200095.tif 000004
【図２】
2020200095.tif 000005
【図３】
2020200095.tif 000006
【図４】
2020200095.tif 000007
【図５】
2020200095.tif 000008
【図６】
2020200095.tif 000009
【図７】
2020200095.tif 000010
【図８】
2020200095.tif 000011